(57)【要約】  言語障害患者の状態に応じたリハビリを実現可能な装置を提供する。本発明は、被検者の言語機能の回復を補助するリハビリ用ロボット１００であって、所定の単語と該単語の意味を表す情報とを対応付けて、評価用データ２２３として記憶する記憶部２０３と、記憶部２０３に記憶された、前記単語の意味を表す情報に基づいて、前記単語を正解とする質問文を音声出力する音声出力部２０８と、前記音声出力された質問文に対する、前記被検者の発声に基づく音声の正否を判定し、正解でないと判定した場合に、前記単語を正解とする質問文をテキストにより表示するタッチパネル部２０４と、前記表示された質問文に対する、前記被検者の回答を取得する音声入力部２０７とを備える。
2014002349.tif 000002
【特許請求の範囲】
【請求項１】
被検者の言語機能の回復を補助する情報処理装置であって、
所定の単語と該単語の意味を表す情報とを対応付けて、評価用データとして記憶する記憶手段と、
前記記憶手段に記憶された、前記単語の意味を表す情報に基づいて、前記単語を正解とする質問文を音声出力する音声出力手段と、
前記音声出力された質問文に対する、前記被検者の発声に基づく音声の正否を判定し、正解でないと判定した場合に、前記単語を正解とする質問文をテキストにより表示する表示手段と、
前記表示された質問文に対する、前記被検者の回答を取得する取得手段と
を備えることを特徴とする情報処理装置。
【請求項２】
前記表示手段は、
前記単語の意味を表す情報に基づいて、前記単語を正解とする質問文をテキストにより表示する第１の表示手段と、
前記第１の表示手段により表示された質問文に対する、前記被検者の発声に基づく音声の正否を判定し、正解でないと判定した場合に、前記単語に対応する画像を含む画像セットを表示するとともに、前記単語の意味を表す情報に基づいて、前記単語に対応する画像を選択させるための質問文をテキストにより表示する第２の表示手段と
を更に備えることを特徴とする請求項１に記載の情報処理装置。
【請求項３】
前記取得手段は、
前記第１の表示手段により表示された質問文に対する、前記被検者の発声に基づく音声を、前記被検者の回答として取得する第１の取得手段と、
前記第２の表示手段により表示された質問文に対する、前記被検者の画像の選択操作を、前記被検者の回答として取得する第２の取得手段と
を更に備えることを特徴とする請求項２に記載の情報処理装置。
【請求項４】
前記音声出力手段により音声出力された質問文に対する、前記被検者の発声に基づく音声の正否と、
前記第１の表示手段により表示された質問文に対する、前記被検者の発声に基づく音声の正否と、
前記第２の表示手段により表示された質問文に対する、前記被検者の画像の選択操作の正否とに分けて集計し、表示する集計結果表示手段を更に備えることを特徴とする請求項３に記載の情報処理装置。
【請求項５】
前記音声出力手段と、前記第１の表示手段と、前記第２の表示手段のうちのいずれかの動作を停止させることで、処理手順を変更する第１の変更手段と、
前記記憶手段に記憶された前記評価用データを変更する第２の変更手段と
を備えることを特徴とする請求項３に記載の情報処理装置。
【請求項６】
前記表示手段は、
前記単語の意味を表す情報に基づいて、前記単語を正解とする質問文をテキストにより表示する第１の表示手段と、
前記第１の表示手段により表示された質問文に対する、前記被検者の発声に基づく音声の正否を判定し、正解でないと判定した場合に、前記単語を含む単語セットを表示するとともに、前記単語の意味を表す情報に基づいて、前記単語を選択させるための質問文をテキストにより表示する第２の表示手段と
を更に備えることを特徴とする請求項１に記載の情報処理装置。
【請求項７】
被検者の言語機能の回復を補助する情報処理装置における情報処理方法であって、
所定の単語と該単語の意味を表す情報とを対応付けて、評価用データとして記憶手段に記憶する記憶工程と、
前記記憶手段に記憶された、前記単語の意味を表す情報に基づいて、前記単語を正解とする質問文を音声出力する音声出力工程と、
前記音声出力された質問文に対する、前記被検者の発声に基づく音声の正否を判定し、正解でないと判定した場合に、前記単語を正解とする質問文をテキストにより表示する表示工程と、
前記表示された質問文に対する、前記被検者の回答を取得する取得工程と
を備えることを特徴とする情報処理装置における情報処理方法。
【請求項８】
請求項７に記載の情報処理方法の各工程をコンピュータに実行させるためのプログラム。
【発明の詳細な説明】
【技術分野】
【０００１】
本発明は、情報処理装置及び情報処理方法に関するものである。
【背景技術】
【０００２】
脳出血や脳梗塞などの脳血管障害によって言語野が損傷されることで、言語機能が低下した失語症患者、構音障害患者等の言語障害患者に対しては、従来より、言語聴覚士の指導／監視のもとで、リハビリが行われてきた。【０００３】
一般に言語機能の障害には、滑らかな発話ができない状態や、他者の話し言葉を理解できない状態、聞いた話を復唱できない状態、あるいは、物品の呼称がわからない状態等、様々な症状があり、言語聴覚士は、各言語障害患者の症状にあわせたメニューを選択し、リハビリを行っている。【０００４】
一方で、失語症患者のリハビリを補助するための装置として、従来より、種々の装置が提案されてきた。例えば、下記特許文献１では、絵や写真、文字などで表示されたカードを見て失語症患者が発声した音声を記録し、正しい音声と比較することで、正しく発声できているか否かを判定する装置が提案されている。
【先行技術文献】
【特許文献】
【０００５】
【特許文献１】特開２０１１−２０９４７１号公報
【発明の概要】
【発明が解決しようとする課題】
【０００６】
しかしながら、従来の装置の場合、視覚的な入力に対する発声を判定するものであるため、言語障害患者が正しく発声できなかった場合に、表示されている物品自体が何であるのかを理解できていないのか、表示されている物品は理解できているが、言葉が想起できていないのかを区別することができない。また、従来の装置の場合、そもそも視覚的な入力を前提としているため、聴覚からの入力に対する理解度を把握することができない。このため、言語障害患者のそれぞれの状態に応じたリハビリを行うことができないという問題があった。【０００７】
このようなことから、言語障害患者のリハビリを補助する装置においては、言語障害患者の状態を的確に把握し、かつ、把握した言語障害患者の状態に応じたメニューを提供できる構成であることが望ましい。【０００８】
本発明は上記課題に鑑みてなされたものであり、言語障害患者の状態に応じたリハビリを実現可能な装置を提供することを目的とする。
【課題を解決するための手段】
【０００９】
上記の目的を達成するために、本発明に係る情報処理装置は以下のような構成を備える。即ち、
被検者の言語機能の回復を補助する情報処理装置であって、
所定の単語と該単語の意味を表す情報とを対応付けて、評価用データとして記憶する記憶手段と、
前記記憶手段に記憶された、前記単語の意味を表す情報に基づいて、前記単語を正解とする質問文を音声出力する音声出力手段と、
前記音声出力された質問文に対する、前記被検者の発声に基づく音声の正否を判定し、正解でないと判定した場合に、前記単語を正解とする質問文をテキストにより表示する表示手段と、
前記表示された質問文に対する、前記被検者の回答を取得する取得手段とを備える。
【発明の効果】
【００１０】
本発明によれば、言語障害患者の状態に応じたリハビリを実現可能な装置を提供することが可能となる。【００１１】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１２】
添付図面は明細書に含まれ、その一部を構成し、本発明の実施の形態を示し、その記述と共に本発明の原理を説明するために用いられる。
【図１】図１は、本発明の一実施形態にかかる情報処理装置を備えるリハビリ用ロボットの外観構成を示す図である。
【図２】図２は、リハビリ用ロボットの機能構成を示す図である。
【図３】図３は、リハビリ動作制御処理の流れを示すフローチャートである。
【図４】図４は、評価用データの一例を示す図である。
【図５】図５は、リハビリ処理１の流れを示すフローチャートである。
【図６Ａ】図６Ａは、リハビリ処理２の流れを示すフローチャートである。
【図６Ｂ】図６Ｂは、リハビリ処理２の流れを示すフローチャートである。
【図７】図７は、患者状態判定処理の流れを示すフローチャートである。
【図８】図８は、患者状態判定処理において生成された言語障害患者のリハビリ結果データの集計結果表示の一例を示す図である。
【発明を実施するための形態】
【００１３】
以下、本発明の各実施形態について添付図面を参照しながら詳細に説明する。なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１４】
［第１の実施形態］
＜１．リハビリ用ロボットの外観構成＞
図１は、本実施形態に係る情報処理装置を備えるリハビリ用ロボット１００の外観構成を示す図である。図１に示すように、被検者（言語障害患者）の言語機能の回復を補助するリハビリ用ロボット１００は、頭部１１０と胴体部１２０と脚部（左脚部１３１、右脚部１３２）とを備える。
【００１５】
頭部１１０は、リハビリ用ロボット１００に対して、言語障害患者が種々の指示を与えるための押圧スイッチ１１１と、外部環境を撮像し、言語障害患者の位置や顔の向き等を把握するための撮像カメラ部１１３と、言語障害患者の発声を取得するマイク部１１２とを備える。また、押圧スイッチ１１１による指示や、マイク部１１２に入力された音声等に応じて点灯するランプ１１４を備える。
【００１６】
また、胴体部１２０は、言語障害患者のリハビリに必要なデータを表示したり、タッチ操作により、言語障害患者の指示を入力するためのタッチパネル部１２１と、言語障害患者に向けて音声を出力するためのスピーカ部１２２とを備える。なお、タッチパネル部１２１、スピーカ部１２２は、胴体部１２０に内蔵されている必要はなく、外部出力により接続される構成であってもよい。
【００１７】
なお、胴体部１２０には、左脚部１３１と右脚部１３２が接続されており、リハビリ用ロボット１００全体を任意の方向に移動させることができる。また、頭部１１０は胴体部１２０に対して、矢印１４１方向に回動するよう（つまり、首振り動作するよう）構成されている。このため、リハビリ用ロボット１００は、胴体部１２０全体を言語障害患者の方向に向けることも、頭部１１０のみを向けることもできる。
【００１８】
＜２．リハビリ用ロボットの機能構成＞
次に、リハビリ用ロボット１００の機能構成について説明する。図２は、リハビリ用ロボット１００の機能構成を示す図である。
【００１９】
図２に示すように、リハビリ用ロボット１００は、制御部（コンピュータ）２０１と、メモリ部２０２と、記憶部（記憶手段）２０３と（これらは情報処理装置を形成する）、タッチパネル部２０４と、ランプ部２０５と、操作部２０６と、音声入力部２０７と、音声出力部２０８と、撮像部２０９と、通信部２１０と、モータ駆動制御部２１１と、を備え、各部はバス２１２を介して接続されている。
【００２０】
記憶部２０３には、制御部２０１により実行されることにより、リハビリ動作制御部２２１及び患者状態判定部２２２として機能するプログラムが格納されている。当該プログラムは、制御部２０１による制御のもと、ワークエリアとして機能するメモリ部２０２に適宜読み込まれ、制御部２０１によって実行されることで、当該各機能を実現する。なお、当該プログラムが実行されることにより実現されるリハビリ動作制御部２２１には、後述する音声出力手段、表示手段（第１の表示手段、第２の表示手段）、取得手段（第２の取得手段、第２の取得手段）等の機能が含まれる。また、当該プログラムが実行されることにより実現される患者状態判定部２２２には、後述する集計結果表示手段、第１の表示手段、第２の表示手段等の機能が含まれる。
【００２１】
また、記憶部２０３には、リハビリ動作制御部２２１として機能するプログラムが制御部２０１において実行される際に用いられる、“評価用データ２２３”が格納されている。また、リハビリ動作制御部２２１として機能するプログラムが実行されることにより取得され、患者状態判定部２２２として機能するプログラムが実行される際に用いられる、“リハビリ結果データ２２４”が格納されている。
【００２２】
なお、記憶部２０３には、リハビリ用ロボット１００が有するその他の機能を実現するための各種プログラム及びデータが格納されているものとするが、ここでは、説明を省略する。
【００２３】
タッチパネル部２０４は、図１の１２１に対応しており、リハビリ動作制御部２２１によるリハビリ動作制御処理（詳細は後述）において、評価用データ２２３に基づいて生成された表示データを、言語障害患者に対して表示したり、言語障害患者からのタッチ操作による入力を受け付けたりする。
【００２４】
ランプ部２０５は、図１のランプ１１４を含むリハビリ用ロボット１００の各種発光装置を含み、リハビリ用ロボット１００の内部状態に応じて発光する。操作部２０６は、図１の押圧スイッチ１１１を含むリハビリ用ロボット１００の各種操作スイッチを表しており、言語障害患者が操作することにより、リハビリ動作制御部２２１では、所定の指示が入力されたと認識する。
【００２５】
音声入力部２０７は、図１のマイク部１１２を含み、言語障害患者が発声した音声を電気信号に変換し、制御部２０１に入力する。音声出力部２０８は、図１のスピーカ部１２２を含み、リハビリ動作制御処理において、評価用データ２２３に基づいて生成された音声データを、言語障害患者に向けて出力する。
【００２６】
撮像部２０９は、図１の撮像カメラ部１１３を含み、撮像により得られた画像データを処理することにより、周囲の状態（言語障害患者の位置、顔の向き、周辺の障害物の有無等）を認識する。
【００２７】
通信部２１０は、外部装置（他の情報処理装置や、他のリハビリ用ロボット等）と無線により通信を行う。これにより、リハビリ用ロボット１００では、リハビリ動作制御処理において取得されたリハビリ結果データ２２４を外部装置に送信したり、リハビリ動作制御処理において用いられる評価用データ２２３を、外部装置からの指示に基づいて、最新の評価データに更新したりすることができる。
【００２８】
モータ駆動制御部２１１は、左脚部１３１、右脚部１３２に配された車輪を駆動するためのモータを制御したり、頭部１１０に配され、頭部１１０を首振り動作させるためのモータを制御したりする。
【００２９】
＜３．リハビリ動作制御処理の流れ＞
次に、リハビリ動作制御部２２１によるリハビリ動作制御処理の流れについて説明する。図３は、リハビリ動作制御部２２１によるリハビリ動作制御処理の流れを示すフローチャートである。
【００３０】
言語聴覚士または言語障害患者からの開始指示（例えば、操作部２０６に対する操作、あるいは、タッチパネル部２０４に対するタッチ操作）により、リハビリ動作制御処理が開始されると、ステップＳ３０１では、評価用データ２２３を読み出す。
【００３１】
図４は、ステップＳ３０１において読み出される評価用データ２２３の一例を示す図である。図４に示すように、評価用データ２２３は、言語障害患者に発声させるべき単語（例えば、“冷蔵庫”、“時計”、“いす”・・・等）が所定の順序で格納されている。また、各単語の意味と、各単語を示す画像を含む３枚の画像セットと、がそれぞれの単語と対応付けて格納されている。更に、言語障害患者に発声させるべき単語と類似する類似単語が格納されている。なお、類似単語は、言語障害患者が発声した場合に、正解と判断すべき単語であり、対応する単語の他の言い方（方言、慣用的な言い方等）を含む。
【００３２】
図３に戻る。ステップＳ３０２では、カウント値Ｎを“１”に設定し、ステップＳ３０３では、評価用データＮ（ここでは、“評価用データ１”）について、リハビリ処理１を実行する（つまり、ステップＳ３０１において読み出された評価用データのうち、単語“冷蔵庫”について、リハビリ処理１を実行する）。
【００３３】
ステップＳ３０４では、評価用データＮ（ここでは、“評価用データ１”）について、リハビリ処理１とは異なるリハビリ処理２を実行する（つまり、ステップＳ３０１において読み出された評価用データのうち、単語“冷蔵庫”について、リハビリ処理２を実行する）。なお、リハビリ処理１及びリハビリ処理２の詳細については後述する。
【００３４】
ステップＳ３０５では、ステップＳ３０３におけるリハビリ処理１及び／またはステップＳ３０４におけるリハビリ処理２の結果に基づいて、リハビリ結果データ２２４を生成（または更新）する。
【００３５】
ステップＳ３０６では、カウント値Ｎをインクリメントした後、ステップＳ３０７に進み、リハビリ動作制御処理を終了するか否か判定する。ステップＳ３０７では、言語聴覚士または言語障害患者からの終了指示（例えば、操作部２０６に対する操作、あるいは、タッチパネル部２０４に対するタッチ操作）が入力された場合、あるいは、カウント値Ｎ＝ｎ（ｎは、評価用データ２２３に含まれる単語の数）となった場合に、終了すると判定し、リハビリ動作制御処理を終了する。
【００３６】
一方、ステップＳ３０７において、終了しないと判定した場合には、ステップＳ３０３に戻り、評価用データＮ（例えば、“評価用データ２”）について、リハビリ処理１及びリハビリ処理２を実行する。
【００３７】
＜４．リハビリ処理１の流れ＞
次に、リハビリ処理１（ステップＳ３０３）の詳細について説明する。図５は、リハビリ処理１の流れを示すフローチャートである。
【００３８】
ステップＳ５０１では、音声出力手段が、評価用データＮの単語を、言語障害患者に発声させるために、評価用データＮの単語の意味に基づいて、言語障害患者に対する質問用の音声データを生成する。
【００３９】
例えば、カウント値Ｎ＝１の場合、単語“冷蔵庫”の意味は、“食べ物を冷やす機械”であることから、当該意味に基づいて、“食べ物を冷やす機械は何ですか”という質問文を作成し、対応する音声データを生成する。
【００４０】
ステップＳ５０２では、音声出力手段が、ステップＳ５０１において生成された音声データを、音声出力部２０８を介して、言語障害患者に向かって出力する（図５の右側最上段参照）。
【００４１】
続いて、ステップＳ５０３では、ステップＳ５０２における音声データの出力に伴って、音声入力部２０７を介して、言語障害患者の発声（応答）による音声を取得すべく、所定時間動作する。更に、取得した音声を認識する（図５の右側中段参照）。
【００４２】
ステップＳ５０４では、言語障害患者による発声が完了したと判定されるまで待つ。具体的には、言語障害患者が音声による質問文を理解し、かつ、質問文に対応する単語を想起し発声した場合には、言語障害患者による発声が完了したと判定する。あるいは、言語障害患者が音声による質問文を理解できず、または、質問文に対する単語を想起できず、所定時間発声がなかった場合も、言語障害患者による発声が完了したと判定する。
【００４３】
ステップＳ５０４において、発声が完了したと判定された場合には、ステップＳ５０５に進み、ステップＳ５０３において取得され、認識された音声が、言語障害患者に発声させるべき単語であったか否か（つまり、正解であったか否か）の正否を判定する。ステップＳ５０５において、正解であると判定された場合には、ステップＳ５０６に進み、言語障害患者に対して、今回の質問の答えが正解であることを報知する（図５の右側最下段参照）。この場合、リハビリ処理２を飛ばして、ステップＳ３０５に進む。
【００４４】
一方、ステップＳ５０５において、正解でないと判定された場合には、ステップＳ３０４に進み、リハビリ処理２を実行する。
【００４５】
＜５．リハビリ処理２の流れ＞
次に、リハビリ処理２（ステップＳ３０４）の詳細について説明する。図６Ａ、図６Ｂは、リハビリ処理２の流れを示すフローチャートである。
【００４６】
ステップＳ６０１では、第１の表示手段が、評価用データＮの単語を、言語障害患者に発声させるために、評価用データＮの単語の意味に基づいて、言語障害患者に対する質問用のテキストデータを生成する。
【００４７】
例えば、カウント値Ｎ＝１の場合、単語“冷蔵庫”の意味は、“食べ物を冷やす機械”であることから、当該意味に基づいて、“食べ物を冷やす機械は何ですか”という質問文のテキストデータを生成する。
【００４８】
ステップＳ６０２では、第１の表示手段が、ステップＳ６０１において生成されたテキストデータを、タッチパネル部２０４上に表示する（図６Ａの右側上段参照）。
【００４９】
続いて、ステップＳ６０３では、ステップＳ６０２におけるテキストデータの表示に伴って、第１の取得手段が、音声入力部２０７を介して、言語障害患者の発声（応答）による音声を取得すべく、所定時間動作する。更に、取得した音声を認識する。
【００５０】
ステップＳ６０４では、言語障害患者による発声が完了したと判定されるまで待つ。具体的には、言語障害患者が表示された質問文を理解し、かつ、質問文に対する単語を想起し発声した場合には、言語障害患者による発声が完了したと判定する。あるいは、言語障害患者が表示された質問文を理解できず、または、質問文に対する単語を想起できず、所定時間発声がなかった場合も、言語障害患者による発声が完了したと判定する。
【００５１】
ステップＳ６０４において、発声が完了したと判定した場合には、ステップＳ６０５に進み、ステップＳ６０３において取得され、認識された音声が、言語障害患者に発声させるべき単語であったか否か（つまり、正解であったか否か）の正否を判定する。ステップＳ６０５において、正解であると判定された場合には、ステップＳ６０６に進み、言語障害患者に対して、今回の質問の答えが正解であることを報知する。その後、ステップＳ３０５へと進む。
【００５２】
一方、ステップＳ６０５において、正解でないと判定された場合には、ステップＳ６０７に進み、評価用データＮの単語を、言語障害患者に想起させるために、第２の表示手段が、評価用データＮの単語の意味に基づいて質問用のテキストデータを生成するとともに、評価用データＮの画像セットを取得する。
【００５３】
例えば、カウント値Ｎ＝１の場合、単語“冷蔵庫”の意味は、“食べ物を冷やす機械”であることから、当該意味に基づいて、“食べ物を冷やす機械はどれですか”という質問文のテキストデータを生成し、当該テキストデータと対応する画像セットをタッチパネル部２０４上に表示する（図６Ａの右側下段参照）。
【００５４】
続いて、ステップＳ６１０では、ステップＳ６０８における第２の表示手段によるテキストデータ及び画像セットの表示に伴って、第２の取得手段が、タッチパネル部２０４を介して、言語障害患者の選択操作を、所定時間、受け付ける。
【００５５】
ステップＳ６１０では、第２の取得手段が、言語障害患者による選択操作が完了したと判定されるまで待つ。具体的には、言語障害患者が表示された質問文を理解し、かつ、質問文に対応する画像がどれであるかを判断することで、選択操作を行った場合には、言語障害患者による選択操作が完了したと判定する。あるいは、言語障害患者が表示された質問文を理解できず、または、質問文に対応する画像がいずれであるかを判断できなかったことで、所定時間内に選択操作を行わなかった場合も、言語障害患者による選択操作が完了したと判定する。
【００５６】
ステップＳ６１０において、選択操作が完了したと判定した場合には、ステップＳ６１１に進み、ステップＳ６０９において選択された画像が、言語障害患者が選択すべき画像であったか否か（つまり、正解であったか否か）の正否を判定する。ステップＳ６１１において、正解であると判定された場合には、ステップＳ６１２に進み、言語障害患者に対して、今回の質問の答えが正解であることを報知する。その後、ステップＳ３０５へと進む。
【００５７】
一方、ステップＳ６１１において、正解でないと判定された場合には、ステップＳ６１３に進み、正解の単語を音声で報知する。
【００５８】
例えば、カウント値Ｎ＝１の場合、正解の単語は“冷蔵庫”であることから、音声出力部２０８を介して“答えは冷蔵庫です”と報知する（図６Ｂの右側参照）。なお、このとき、タッチパネル部２０４に表示された画像セットのうち、正解の単語“冷蔵庫”に対応する画像を強調表示するようにしてもよい。
【００５９】
ステップＳ６１３における処理が終了すると、ステップＳ３０５へと進み、リハビリ処理２を終了する。
【００６０】
このように、本実施形態に係るリハビリ用ロボット１００では、言語障害患者が、他者の発声した音声を理解できない状態にあるのか否かを判断できるよう、はじめに、音声による質問を行う。そして、音声による質問に答えられなかった場合には、次に、テキストデータによる質問を行う。このとき、テキストデータによる質問に答えられた場合には、当該言語障害患者は、聴覚からの語想起はできないが、視覚からの語想起はできる状態にあると判断することができる。
【００６１】
一方、テキストデータによる質問にも答えられなかった場合には、次に、テキストデータによる質問を行うとともに、答えの画像を含む画像セットを表示し、言語障害患者に正解の画像を選択させる。このとき、正しく画像を選択できた場合には、当該言語障害患者は、視覚からの語想起はできないが、物品が何であるかは理解できる状態にあると判断することができる。反対に、正しく画像を選択できなかった場合には、物品が何であるかを理解できない状態にあると判断することができる。
【００６２】
つまり、本実施形態に係るリハビリ用ロボット１００では、言語障害患者の状態を把握できるよう、言語障害患者の状態に応じたメニューを提供することができる。
【００６３】
＜６．患者状態判定処理＞
次に、患者状態判定部２２２による患者状態判定処理の流れについて説明する。図７は、患者状態判定部２２２による患者状態判定処理の流れを示すフローチャートである。
【００６４】
リハビリ用ロボット１００を用いて言語障害患者によるリハビリが行われることで、リハビリ用ロボット１００に言語障害患者のリハビリ結果データ２２４が蓄積されると、言語聴覚士は、当該蓄積されたリハビリ結果データ２２４に基づいて、当該言語障害患者の現在の状態を把握すべく、患者状態判定処理を実行させる。
【００６５】
言語聴覚士からの開始指示（例えば、操作部２０６に対する操作、あるいは、タッチパネル部２０４に対するタッチ操作）により、患者状態判定処理が開始されると、ステップＳ７０１では、集計結果表示手段が、記憶部２０３に格納されたリハビリ結果データ２２４を読み出す。
【００６６】
更に、ステップＳ７０２では、集計結果表示手段が、読み出されたリハビリ結果データ２２４を、レベルごとに集計し、表示する。具体的には、音声データによる質問（図５のステップＳ５０２）に対して正解できた場合と、テキストデータによる質問（図６ＡのステップＳ６０２）に対して正解できた場合と、画像データによる質問（図６ＡのステップＳ６０８）に対して正解できた場合と、いずれの質問にも不正解であった場合とに分けてそれぞれの個数を集計し、表示する。
【００６７】
図８は、ステップＳ７０２における集計により得られた集計結果表示の一例を示す図である。図８に示すように、各レベルごとに正解した数が表示されるため、言語聴覚士は、当該言語障害患者の現在の状態を定量的に把握することができる。
【００６８】
図７に戻る。ステップＳ７０３では、ステップＳ７０２において表示された集計結果に応じて、言語聴覚士が変更指示を入力したか否かを判定する。
【００６９】
ステップＳ７０３において、言語聴覚士が、リハビリ動作制御処理の処理手順の変更指示を入力した場合には、ステップＳ７０４に進み、第１の変更手段が、リハビリ動作制御フローを変更する。
【００７０】
例えば、当該言語障害患者の音声による質問に対する正解の個数が著しく少なく、聴覚からの語想起ができていないことが明らかである場合には、図３に示すように、リハビリ処理１及びリハビリ処理２の両方を実行することは有効とはいえない。そこで、当該言語障害患者に対しては、リハビリ処理１を停止させ、リハビリ処理１を省略したリハビリ動作制御処理に変更するようにする。
【００７１】
あるいは、当該言語障害患者の音声による質問に対する正解の個数、及び、テキストデータによる質問に対する正解の個数が著しく少ない場合にあっては、リハビリ処理１を省略するとともに、リハビリ処理２のステップＳ６０１からステップＳ６０５を省略したリハビリ動作制御処理に変更するようにする。
【００７２】
一方、ステップＳ７０３において、言語聴覚士が、評価用データの変更指示を入力した場合には、ステップＳ７０５に進み、第２の変更手段が、評価用データ２２３を変更する。
【００７３】
例えば、評価用データ２２３の並び順序を変更する場合にあっては、不正解の単語を上位に、画像データによる質問で正解となった単語を次に配列するといったように、リハビリ結果データに応じた並び順序に変更する。
【００７４】
あるいは、評価用データ２２３の内容を変更する場合にあっては、音声による質問で正解となった単語を、評価用データ２２３から削除したり、新たに単語を追加したりといったように、評価用データ２２３そのものを更新する。
【００７５】
一方、ステップＳ７０３において、言語聴覚士が、いずれの変更も指示しなかった場合には、患者状態判定処理を終了する。
【００７６】
以上の説明から明らかなように、本実施形態に係るリハビリ用ロボット１００によれば、リハビリに際して、言語障害患者の状態に応じたメニューを提供できるとともに、リハビリ結果に基づいて、言語障害患者の状態を定量的に把握することができるようになる。
【００７７】
［第２の実施形態］
上記第１の実施形態では、音声データ、テキストデータ、または画像データによる質問を行った後に、所定時間、言語障害患者の発声に基づく音声データの取得、またはタッチ操作による選択指示の受け付けを行う構成としたが、本発明はこれに限定されない。例えば、音声データ、テキストデータ、画像データを利用したリハビリ処理の順番を任意に変更できるように構成してもよい。また、言語障害患者自身が、応答完了の指示を別途入力する構成としてもよい。
【００７８】
また、上記第１の実施形態では、ステップＳ６０８において画像セットを表示する構成としたが、本発明はこれに限定されない。例えば、画像セットを構成する各画像が示す物品の呼称を、単語セットとしてテキストデータを表示し、当該表示した単語セットの中から、質問に対する回答を選択させる構成としてもよい。
【００７９】
［第３の実施形態］
上記第１及び第２の実施形態では、リハビリ用ロボット１００を用いて、リハビリ動作制御部２２１及び患者状態判定部２２２を実現する構成としたが、本発明はこれに限定されず、他の情報処理装置（例えば、パーソナルコンピュータ、携帯情報端末等）上においてこれらの機能を実現する構成としてもよい。
【００８０】
［その他の実施形態］
本発明は上記実施の形態に制限されるものではなく、本発明の精神及び範囲から離脱することなく、様々な変更及び変形が可能である。従って、本発明の範囲を公にするために、以下の請求項を添付する。
【００８１】
本願は、２０１２年６月２９日提出の日本国特許出願特願２０１２−１４７５４７を基礎として優先権を主張するものであり、その記載内容の全てを、ここに援用する。
【図１】
2014002349.tif 000003
【図２】
2014002349.tif 000004
【図３】
2014002349.tif 000005
【図４】
2014002349.tif 000006
【図５】
2014002349.tif 000007
【図６Ａ】
2014002349.tif 000008
【図６Ｂ】
2014002349.tif 000009
【図７】
2014002349.tif 000010
【図８】
2014002349.tif 000011
【国際調査報告】
2014002349.tif 000012
2014002349.tif 000013
2014002349.tif 000014